(57)【要約】【課題】  ケースの蓋を開けることなく容易に鏡を見ることができ、拡大することができ、鏡が水平面に対して傾斜しており、様々な角度、様々な映り具合に容易に設定できるコンタクトレンズケースを提供することを課題とする。【解決手段】並列に並んだ二つの容器３と、容器３を繋ぐ容器ベース２と、二つの容器３が個々に有しており上面に鏡１２が取り付けてある二つの蓋１０とからなるコンタクトレンズケースであって、二つの容器２の上面が容器ベース２に対して角度α傾斜し、鏡１２が蓋に対して角度β傾斜することを特徴とするコンタクトレンズケースによって、課題を解決する。【選択図】図３
2006122184.tif 000002
【特許請求の範囲】
【請求項１】
並列に並んだ二つの容器と、
前記容器を繋ぐ容器ベースと、
前記二つの容器が個々に有しており上面に鏡が取り付けてある二つの蓋とからなるコンタクトレンズケースであって、
前記二つの容器の上面が前記容器ベースに対して角度α傾斜し、
前記鏡が前記蓋に対して角度β傾斜することを特徴とするコンタクトレンズケース。
【請求項２】
前記容器に前記蓋を取り付けた際に、蓋の容器に対する取り付け位置によって、水平面に対する鏡の傾斜を変えることができることを特徴とする請求項１に記載のコンタクトレンズケース。
【請求項３】
前記鏡が凸面鏡であることを特徴とする請求項１または請求項２に記載のコンタクトレンズケース。
【発明の詳細な説明】
【技術分野】
【０００１】
この発明は、コンタクトレンズケースに関する。より詳細には、容器に鏡が取り付けてあり、水平面に対する鏡の傾斜角度を変更できることを特徴とするコンタクトレンズケースに関する。また、拡大鏡として機能する鏡が取り付けてあるコンタクトレンズケースに関する。
【背景技術】
【０００２】
鏡を取り付けた容器に関し、以下の文献がある。
【特許文献１】実開昭６３−１０６３２２
【特許文献２】実開昭５８ー７７５２５
【０００３】
特許文献１記載の容器の蓋体は、頂部が偏心した多角錐形蓋の蓋本体の開口部に鏡が嵌着してあり、蓋本体の外部斜面の傾斜角度によって、使用に適した角度に鏡が指向するようにされていることを特徴とする。特許文献１記載の発明において、使用する者の望む鏡の角度を得る手段は、蓋の立体的形体がもたらす角度に起因する。
【０００４】
特許文献２記載の容器では、眼鏡容器の蓋の裏面に、平面鏡が取り付けられている。
【０００５】
鏡を取り付けたコンタクトレンズケースに関し、以下の文献がある。
【特許文献３】実開昭５９−１２８２２３
【特許文献４】実開平２−７１３２６
【０００６】
特許文献３記載のコンタクトレンズケースにおいては、容器の外側に平面鏡が取り付けられているが、その容器はコンタクトレンズを縦に並べるものであり、鏡は、円筒状の底面、平面又は側面に該当する部分に取り付けられている。
【０００７】
特許文献４記載の鏡付ケースでは、ケース蓋の内側に凹面鏡が取り付けられている。
【発明の開示】
【発明が解決しようとする課題】
【０００８】
鏡がケースの外側に設けてあって、コンタクトレンズの使用者が、例えばコンタクトレンズの付け具合をとっさに確認する必要があるときに、蓋を開けることなく容易に鏡を見ることができるコンタクトレンズケースを得ることを課題とする。
【０００９】
取り付けられた鏡が平面鏡ではなく拡大鏡であって、視力が低下している者にとって、鏡を使用してコンタクトレンズの付け外しを容易に行うことのできるコンタクトレンズケースを得ることを課題とする。
【００１０】
コンタクトレンズの付け外しは様々な状況で行われる。例えば、目にゴミが入った場合には、コンタクトレンズを急ぎ取り外す必要がある。日常の付け外しも必ずしも一定の場所で行うのではない。そして、ケースを載置する場所の高さが高い場合には、鏡面が傾斜しておりまたその傾斜角度は大きいことが望ましい。一方、ケースを載置する高さが低い場合には、鏡面は、傾斜していないか、若しくは傾斜角度が小さいことが望ましい。また、ケースを載置する場所が狭い場合には横方向に長さのあるケースを縦置きすることもある。従って、鏡面は、使用者の嗜好や、時、場所、目的によって、様々な角度、様々な映り具合に容易に設定できるのが望ましい。そこで、コンタクトレンズケースに取り付けた鏡に関し、様々な角度、様々な映り具合を容易に設定できるものを得ることを課題とする。
【課題を解決するための手段】
【００１１】
請求項１に記載の発明にあっては、並列に並んだ二つの容器と、前記容器を繋ぐ容器ベースと、前記二つの容器が個々に有しており上面に鏡が取り付けてある二つの蓋とからなるコンタクトレンズケースであって、前記二つの容器の上面が前記容器ベースに対して角度α傾斜し、前記鏡が前記蓋に対して角度β傾斜することを特徴とするコンタクトレンズケースによって、課題を解決する。
【００１２】
すなわち、本願発明にあっては、容器は、直列にではなく並列に並んでいる。ここにいう容器とは、使用時に保存液とコンタクトレンズを入れる容器である。並列に並んだ容器の蓋に鏡を取り付けることによって、使用者は、鏡に両目を一度に映すことができ、鏡を取り付けたことによる効果をより多く得ることができる。容器のかたちは、円形でも、多角形でもよく、要はコンタクトレンズが入ればよい。蓋も、円形、多角形等、容器に対応する形状であれば形状を問わない。蓋に取り付けられた鏡も、円形、多角形、星形等、形状を問わない。使用者の目の辺りを映し出すことができればよい。
【００１３】
容器の備える傾斜は、容器ベース厚みに差を設けて得ても良いし、容器ベースに部分的に足を取り付けて得ても良い。
【００１４】
角度αと角度βは等しくても良い。角度αと角度βの大きさは、コンタクトレンズケースの大きさ等によって、決定する。また、角度を決める際、容器内に入れる保存液がこぼれることのない角度にすることが必要である。コンタクトレンズを収納する部分の底面については、鏡面の傾斜如何にかかわらず、ケースを載置した面と同じ傾斜であるのが望ましい。
【００１５】
鏡が、容器の外側の上面に取り付けているため、容器の蓋の内側に取り付けてある場合には、蓋の角度によって鏡を使用者が見やすい角度に調節することができる。しかし、鏡が容器の外側に設けてある場合に角度調節のための機構が設けてられていない場合には、使用者は、首を伸ばして容器の真上まで顔を持っていき、上からのぞき込むような姿勢になる必要があった。容器を手でつまんで傾斜を付ければそのような必要はないが、コンタクトレンズを付け外しする際には、両手を使うので、容器を手でつまむ必要がないほうが使いやすい。よって、鏡の面自体に傾斜が付けられていることが望ましいのである。
【００１６】
請求項２にあっては、前記容器に前記蓋を取り付けた際に、容器に対し蓋を取り付ける位置によって、水平面に対する鏡の傾斜を変えることができることを特徴とする請求項１に記載のコンタクトレンズケースによって、課題を解決する。
【００１７】
容器に対して蓋を取り付ける位置によって、とは、例えば、容器の高い部分と蓋の高い部分が一致するような位置、容器の高い部分と蓋の低い部分が一致するような位置、容器の高さが中位置の部分と蓋の高さが高い部分とが一致するような位置、等を意味する。
【００１８】
各部分を「一致」させる手段は、例えば、蓋の内側の、円周を四等分する位置に一つずつ突起を設け、容器の対応する位置に、蓋の突起を受け入れる溝を設ける、といった、周知の技術を用いる。
【００１９】
液漏れを完全にするために、蓋の内側に周知のパッキンを設けてもよい。
【００２０】
請求項３にあっては、前記鏡が凸面鏡であることを特徴とする請求項１または請求項２に記載のコンタクトレンズケースによって、課題を解決する。
【００２１】
鏡を凸面鏡とすることによって、鏡に映るものを拡大することができる。蓋に取り付けた鏡の角度として様々なものを得て、さらに鏡を凸面鏡とすることによって鏡に映るものは、いっそう種類が増える。本願に係るコンタクトレンズケースの使用者は、自分に最も適した鏡の映り具合、時と場所と目的に最も適した映り具合を得ることができる。
【発明の効果】
【００２２】
鏡を、ケースの内側ではなく外側に設けることによって、コンタクトの付け具合をとっさに確認する必要があるときに、蓋を開けることなく鏡を見ることができるので、容易に対応できる。
【００２３】
並列に並んだ容器の蓋に鏡を取り付けることによって、使用者は、鏡に両目を一度に映すことができ、鏡を取り付けたことによる効果をより多く得ることができる。
【００２４】
また、鏡を凸面鏡とすることによって、鏡に映るものを拡大することができる。
【００２５】
鏡を平面鏡ではなく拡大鏡にすることにより、視力が低下している者にとってコンタクトレンズの付け外しが容易となる。
【００２６】
また、蓋に取り付けた鏡の角度として様々なものを得て、さらに鏡を凸面鏡とすることによって鏡に映るものは、いっそう種類が増える。この結果、本願に係るコンタクトレンズケースの使用者は、自分に最も適した鏡の映り具合、時と場所と目的に最も適した映り具合を得ることができる。
【発明を実施するための最良の形態】
【００２７】
発明の実施形態を実施例１に示す。
【実施例１】
【００２８】
図１〜図９に本願に係る実施例を示す。図１及び図２に示すとおり、コンタクトレンズケース１は、容器３及び蓋１０よりなる。容器３は、容器ベース２によって、底面がつながっている。蓋１０において、蓋本体１１の上面に鏡１２が取り付けてある。容器ベース２及び鏡１２には後述の傾斜が設けてあるが、図１及び図２では傾斜は省略されている。図１は容器に蓋をした状態を示し、図２は容器から蓋を外した状態を示す。容器３の中にコンタクトレンズの保存液及びコンタクトレンズを入れるようになっている。使用者は、図１に示した状態でコンタクトレンズケースを携帯する。コンタクトレンズを付け外しする際には、容器の蓋を開け、例えば図２に示すような状態で蓋１０を容器の傍らに置いて、コンタクトレンズを容器から出し入れする。
【００２９】
図３に、鏡１２及び容器ベース２の傾斜を示す。鏡１２の傾斜角はαであり、ｔｈに示す部分が最も高くなっておりｔｌに示す部分が最も低くなっている。容器ベース２の傾斜角は、βであり、ｂｈに示す部分が最も高くなっておりｂｌに示す部分が最も低くなっている。保存液を入れた場合、保存液の水面６は図４に示す位置にある。
【００３０】
容器に蓋１０を取り付ける際、容器の高い部分と蓋の高い部分とが一致するように取り付け多場合には、図４の（Ａ）で示すとおりになり、鏡面の傾斜は、角αと角βを加えたものとなり、最も傾いた状態になる。また、容器に蓋１０を取り付ける際、容器の高い部分と蓋の低い部分とが一致するように取り付け多場合には、図４の（Ｂ）で示すとおりになり、鏡面の傾斜は、角αから角βを引いたものになる。例えば角αと角βが同じ角度の場合には、傾斜はゼロになる。図５から図８に、蓋と容器に関し、さらに他の組み合わせも加えて説明する。いずれの図も上面からみた説明図であって容器ベースは見えない位置にあるが、容器ベースのｂｈがどの方向に存するかを、矢印で示した。図５は図４の（Ａ）に示すのと同じ状態であり、図７は、図４の（Ｂ）に示すのと同じ状態である。図５に示す状態の場合、鏡が最も傾斜するので、容器を高い位置に置いて鏡を見る際に適している。図７に示す状態の場合、鏡の傾斜が、最も緩やかか若しくは傾斜しないので、容器を低い位置に置いて鏡を見る際に適している。図６や図８に示す状態の場合、ケースを載置するスペースが狭くてケースを縦長に置く必要がある際に適している。
【実施例２】
【００３１】
実施例２では、図９に示すとおり、鏡１３が凸面鏡になっている。鏡を凸面鏡とすることにより、使用時に鏡に写るものを拡大できる。拡大することにより、コンタクトレンズの付け外しがいっそう容易となる。
【産業上の利用可能性】
【００３２】
コンタクトレンズのケースに利用する。
【図面の簡単な説明】
【００３３】
【図１】本願に係るコンタクトレンズケースを示す。
【図２】本願に係るコンタクトレンズケースを示す。
【図３】実施例１に係るコンタクトレンズケースを示す。
【図４】実施例１に係るコンタクトレンズケースの蓋と容器の組み合わせ例を示す。
【図５】実施例１に係るコンタクトレンズケースの蓋と容器の組み合わせ例を示す。
【図６】実施例１に係るコンタクトレンズケースの蓋と容器の組み合わせ例を示す。
【図７】実施例１に係るコンタクトレンズケースの蓋と容器の組み合わせ例を示す。
【図８】実施例１に係るコンタクトレンズケースの蓋と容器の組み合わせ例を示す。
【図９】実施例２に係るコンタクトレンズケースの蓋と容器の組み合わせ例を示す。
【符号の説明】
【００３４】
１  コンタクトレンズケース
２  容器ベース
３  容器本体
６  水面
１０  蓋
１１  蓋本体
１２  鏡
１３  凸面鏡
【図１】
2006122184.tif 000003
【図２】
2006122184.tif 000004
【図３】
2006122184.tif 000005
【図４】
2006122184.tif 000006
【図５】
2006122184.tif 000007
【図６】
2006122184.tif 000008
【図７】
2006122184.tif 000009
【図８】
2006122184.tif 000010
【図９】
2006122184.tif 000011
【手続補正書】
【提出日】平成16年11月10日(2004.11.10)
【手続補正１】
【補正対象書類名】図面
【補正対象項目名】全図
【補正方法】変更
【補正の内容】
【図１】
2006122184.tif 000012
【図２】
2006122184.tif 000013
【図３】
2006122184.tif 000014
【図４】
2006122184.tif 000015
【図５】
2006122184.tif 000016
【図６】
2006122184.tif 000017
【図７】
2006122184.tif 000018
【図８】
2006122184.tif 000019
【図９】
2006122184.tif 000020